(57)【要約】【課題】引掛シーリングボディと引掛シーリングキャップとの間に介装するだけで照明器具の電力消費が確実に抑えられる照明器具用節電アダプターを提供する。【解決手段】節電アダプター１は、ケース１０の上面の対角位置に引掛シーリングボディ７の電極刃の挿入溝７１ａ、７１ｂに挿入して電極板７４ａ，７４ｂと接続される一対の刃部４ａ，４ｂが突設されている。ケース１０の下面の対角位置には、引掛シーリングキャップ８の電極刃８１ａ，８１ｂが挿入される溝部が開設されるとともに、各溝部の端部に電極刃８１ａ、８１ｂと接続される電極部が設けられている。ケース１０内には降圧トランスが収納され、降圧トランスの入力端子は前記刃部４ａ，４ｂに、出力端子は前記電極部に、それぞれ接続されている。【選択図】図１
2012256490.tif 000002
【特許請求の範囲】
【請求項１】
天井面に固定された引掛シーリングボディと照明器具へ給電するための電源コードの先端部に取り付けられた引掛シーリングキャップとの間に介装される照明器具用節電アダプターであって、
ケース上面の対角位置に突設される一対の刃部と、ケース下面の対角位置に開設される円弧状をなす一対の溝部と、各溝部内の一方の端部位置に設けられる一対の電極部と、ケース内に収納される降圧トランスとを含み、降圧トランスの入力端子を前記刃部に、出力端子を前記電極部に、それぞれ接続しており、
前記の各刃部は、引掛シーリングボディの下面の対角位置に開設された円弧状をなす一対の電極刃の挿入溝に挿入可能かつ各挿入溝に沿って摺動可能に形成されるとともに、各挿入溝内の一方の端部位置に設けられた電極板との係合により電極板と電気的かつ機械的に接続可能に形成されており、
前記の各溝部は、引掛シーリングキャップの上面の対角位置に突設された一対の電極刃が挿入可能かつ各溝部に沿って摺動可能に形成されるとともに、前記の各電極部は、各電極刃との係合により電極刃と電気的および機械的に接続可能に形成されて成る照明器具用節電アダプター。
【請求項２】
前記降圧トランスは、単巻の降圧トランスであり、入出力共通端子は互いに導通させた一方の刃部または一方の電極部に接続されている請求項１に記載された照明器具用節電アダプター。
【請求項３】
前記刃部は、基端部が電極部に一体に連結されている請求項２に記載された照明器具用節電アダプター。
【発明の詳細な説明】
【技術分野】
【０００１】
この発明は、天井面に固定された引掛シーリングボディと照明器具へ給電するための電源コードの先端部に取り付けられた引掛シーリングキャップとの間に介装されるアダプターに関し、特にこの発明は、照明器具の電力消費を抑える機能を有する照明器具用節電アダプターに関する。
【背景技術】
【０００２】
照明器具の天井面への設置は、天井面に固定された引掛シーリングボディに引掛シーリングキャップを連結することにより行われる（例えば特許文献１参照）。引掛シーリングボディは、下面の対角位置に円弧状をなす一対の電極刃の挿入溝が形成されるとともに、各挿入溝内の一方の端部位置に電極板が設けられている。一方、引掛シーリングキャップは照明器具へ給電するための電源コードの先端部に取り付けられており、上面の対角位置に一対の電極刃が突設されている。引掛シーリングキャップの各電極刃を引掛シーリングボディの各電極刃の挿入溝へ挿入した後、引掛シーリングキャップを所定の角度だけ回して各電極刃を挿入溝に沿って摺動させると、各電極刃が各電極板と係合して各電極板と電気的および機械的に接続される。このようにして、引掛シーリングボディに引掛シーリングキャップを連結することで照明器具は天井面に吊り下げられた状態となる。
【０００３】
ところで、先般、定格の入力電圧より低い電圧によって電気製品を作動させて節電をはかる電源調整装置が提案された（例えば特許文献２参照）。この電源調整装置は、例えば、電源プラグ付きの電源コンセントとして提供されるもので、変圧トランスを内蔵している。変圧トランスは電源プラグ側の入力電圧を１０％降下させる巻き線比となっており、電源コンセントの差込口に電気製品の電源プラグを差し込むと、電気製品は電圧が若干低い状態で作動し、これにより電気製品の電力消費が抑えられる。
【先行技術文献】
【特許文献】
【０００４】
【特許文献１】特開２００３−７７３２９号公報
【特許文献２】特開２００３−８５６２７号公報
【発明の概要】
【発明が解決しようとする課題】
【０００５】
しかし、上記した電源調整装置は、洗濯機や冷蔵庫のように、電源コンセントを介して電源の供給を受ける電気製品に使用できるが、天井面に吊り下げ固定される照明器具のように、配線コードより直接電源の供給を受けるものには使用できない。照明器具は家屋の至るところに設置されており、使用頻度も高く、照明器具の電力消費を抑えることが節電にきわめて有効であることから、従来は、未使用の部屋の照明器具をこまめに消すことによって節電をはかっている。
【０００６】
この発明は、上記の問題に着目してなされたもので、天井面に固定された引掛シーリングボディに引掛シーリングキャップを連結して照明器具を取り付ける際に、引掛シーリングボディと引掛シーリングキャップとの間に介装するだけで、使用中の照明器具についても電力消費が確実に抑えられる照明器具用節電アダプターを提供することを目的とする。
【課題を解決するための手段】
【０００７】
この発明による照明器具用節電アダプターは、天井面に固定された引掛シーリングボディと照明器具へ給電するための電源コードの先端部に取り付けられた引掛シーリングキャップとの間に介装されるものであって、ケース上面の対角位置に突設される一対の刃部と、ケース下面の対角位置に開設される円弧状をなす一対の溝部と、各溝部内の一方の端部位置に設けられる一対の電極部と、ケース内に収納される降圧トランスとを含んでおり、降圧トランスの入力端子を前記刃部に、出力端子を前記電極部に、それぞれ接続している。前記の各刃部は、引掛シーリングボディの下面の対角位置に開設された円弧状をなす一対の電極刃の挿入溝に挿入可能かつ各挿入溝に沿って摺動可能に形成されるとともに、各挿入溝内の一方の端部位置に設けられた電極板との係合により電極板と電気的かつ機械的に接続可能に形成されている。前記の各溝部は、引掛シーリングキャップの上面の対角位置に突設された一対の電極刃が挿入可能かつ各溝部に沿って摺動可能に形成されるとともに、前記の各電極部は、各電極刃との係合により電極刃と電気的および機械的に接続可能に形成されている。
【０００８】
引掛シーリングボディと引掛シーリングキャップとの間にこの発明にかかる節電アダプターを介装して照明器具を天井面に設置するには、引掛シーリングボディの下面の各電極刃の挿入溝に節電アダプターの各刃部を挿入し、節電アダプターを各挿入溝に沿って所定の角度だけ回す。各刃部が各挿入溝の一方の端部に達したとき、各刃部は挿入溝内の電極板と係合して電気的かつ機械的に接続された状態となる。次に、節電アダプターの各溝部に引掛シーリングキャップの各電極刃を挿入し、引掛シーリングキャップを各溝部に沿って所定の角度だけ回す。各電極刃が各溝部の端部に達したとき、各刃部は各溝部内の電極部と係合して電気的かつ機械的に接続された状態となる。
このようにして、節電アダプターを中間に介在させて引掛シーリングボディと引掛シーリングキャップとを連結することで、照明器具は天井面に吊り下げられた状態で設置される。
【０００９】
節電アダプターの刃部には引掛シーリングボディの電極板を介して１００ボルトの電圧が供給され、この電圧は降圧トランスの入力端子に与えられる。降圧トランスの出力端子には巻き線比に応じて降圧された電圧（例えば、７５ボルト）が出力される。この出力電圧は、節電アダプターの電極部を介して引掛シーリングキャップの電極刃に供給され、この降圧された電圧により照明器具が点灯駆動されるので、照明器具の電力消費が抑えられる。照明器具の明るさは降圧の程度に応じて低下するが、電圧低下が３０ボルト以下であれば、その明るさに人間の眼も慣れ、日常生活に殆ど支障はきたすことはない。
【００１０】
この発明の好ましい実施態様においては、前記降圧トランスは、単巻の降圧トランスであり、入出力共通端子は互いに導通させた一方の刃部または一方の電極部に接続されている。
【００１１】
この実施態様によれば、降圧トランスが小型化され、ケース内の空間が狭くても、降圧トランスを余裕をもって収納し得る。また、複巻の降圧トランスに比べてケース内での配線が容易であり、組立効率が良好である。さらに、刃部の基端部を電極部に一体に連結すれば、部品点数が少なくなり、ケースの内部構造を簡略化し得る。
【発明の効果】
【００１２】
この発明によれば、天井面に固定された引掛シーリングボディと引掛シーリングキャップとの間に介装するだけで、使用中の照明器具について電力消費が確実に抑えられる。しかも、照明器具は家屋の至るところで用いられ、使用頻度も高いので、節電効果は顕著である。
【図面の簡単な説明】
【００１３】
【図１】この発明の節電アダプターの使用例を示す斜視図である。
【図２】この発明の節電アダプターを斜め上方から見た斜視図である。
【図３】この発明の節電アダプターを斜め下方から見た斜視図である。
【図４】ケースの蓋部の内面を示す平面図である。
【図５】ケースの本体部の内部構造を示す平面図である。
【図６】ケースの一部を破断した節電アダプターの正面図である。
【図７】蓋部を開放した状態を示す節電アダプターの分解斜視図である。
【図８】単巻の降圧トランスが用いられた実施例の電気配線図である。
【図９】複巻の降圧トランスが用いられた実施例の電気配線図である。
【図１０】この発明の他の実施例における降圧トランスの電気配線図である。
【発明を実施するための形態】
【００１４】
図１は、この発明の一実施例である節電アダプター１を用いた照明器具の取付構造を示している。
図示例の照明器具９は、天井面に吊り下げ状態で取り付けられるもので、引掛シーリングボディ７と引掛シーリングキャップ８との間に節電アダプター１が介装される。引掛シーリングボディ７、引掛シーリングキャップ８、および節電アダプター１はともに合成樹脂製であり、引掛シーリングボディ７と引掛シーリングキャップ８とは一般に普及している公知の構造のものである。
【００１５】
引掛シーリングボディ７は、扁平な円筒状ケース７０の上面が開口しており、その開口面が天井面に当てられて固定されている。円筒状ケース７０の平坦な下面の対角位置には円弧状をなす一対の電極刃の挿入溝７１ａ，７１ｂが開設されている。各挿入溝７１ａ、７１ｂは、大きな溝幅の出入部７２と小さな溝幅のガイド部７３とが連続し、各ガイド部７３の端部の溝内に電極板７４ａ，７４ｂがそれぞれ配設されている。各電極板７４ａ，７４ｂには、天井内より引き出された配線コード（図示せず）が接続され、１００ボルトの交流電圧が供給されている。
【００１６】
引掛シーリングキャップ８は、照明器具９へ給電するための電源コード１５の先端部に取り付けられており、箱状ケース８０の上面の対角位置に一対の窓孔８３ａ，８３ｂが開設され、各窓孔８３ａ，８３ｂより電極刃８１ａ，８１ｂが所定の長さだけ突出している。引掛シーリングキャップ８は引掛シーリングボディ７に直接連結することも可能であり、各電極刃８１ａ，８１ｂは引掛シーリングボディ７の各挿入溝７１ａ、７１ｂのガイド部７３に沿って移動することが可能な厚みに設定されている。各電極刃８１ａ，８１ｂの先端部には内向きの鉤状部８２，８２が屈曲形成されている。各鉤状部８２は引掛シーリングボディ７の各挿入溝７１ａ，７１ｂの出入部７２に対しては挿脱が可能であるが、ガイド部７３に対しては挿脱が不能である。各電極刃８１ａ，８１ｂの基端部は箱状ケース８０の内部において電源コード１５の先端部と接続された状態でネジ固定されている。
【００１７】
引掛シーリングボディ７に節電アダプター１を中間に介在させずに引掛シーリングキャップ８を直接連結するときは、引掛シーリングキャップ８の各電極刃８１ａ，８１ｂを引掛シーリングボディ７の各挿入溝７１ａ、７１ｂの出入部７２へ挿入し、引掛シーリングボディ７の円筒状ケース７０の下面に引掛シーリングキャップ８の箱状ケース８０の上面を押し当てた状態で引掛シーリングキャップ８を所定の角度だけ回す。これにより各電極刃８１ａ，８１ｂは挿入溝７１ａ，７１ｂに沿って摺動し、鉤状部８２が各電極板７４ａ，７４ｂと係合して、各電極刃８１ａ，８１ｂが各電極板７４ａ，７４ｂと電気的および機械的に接続された状態となる。
引掛シーリングボディ７に引掛シーリングキャップ８を直接連結して照明器具９を天井面に設置したとき、照明器具９には１００ボルトの電圧が供給されて点灯駆動される。
【００１８】
節電アダプター１は、図２，３に示すように、扁平な筒状体であり、上面が開口した本体部２と、本体部２の上面の開口部に被せられてネジ止めされる蓋板部３とで内部が中空のケース１０が形成されている。前記蓋板部３および本体部２の下面はケース１０の上下各面を構成し、そのいずれもが平坦面であり、引掛シーリングボディ７と引掛シーリングキャップ８との間に介装されたとき、ケース１０の上下各面が引掛シーリングボディ７の下面および引掛シーリングキャップ８の上面にそれぞれ当接する。
【００１９】
ケース１０の上面の対角位置には、図２に示すように、矩形状をなす一対の窓孔３１ａ，３１ｂが開設され、各窓孔３１ａ，３１より刃部４ａ，４ｂが所定の長さだけ突出している。各刃部４ａ，４ｂは、引掛シーリングボディ７の各挿入溝７１ａ、７１ｂのガイド部７３に沿って移動することが可能な厚みに設定されている。各刃部４ａ，４ｂの先端部には内向きの鉤状部４１，４１が屈曲形成されている。各鉤状部４１は引掛シーリングボディ７の各挿入溝７１ａ，７１ｂの出入部７２に対しては挿脱が可能であるが、ガイド部７３に対しては挿脱が不能である。
【００２０】
一方の刃部４ａは、長さが短く、図４に示すように、基端部に一体形成された端子板４２が直角に曲げられて蓋板部３の裏面にネジ止めされている。他方の刃部４ｂは、長さが長く、図５に示すように、基端部に一体形成された端子板４２が本体部２の下面の内側に設けられた電極部６ａ（詳細は後述）と一体の接続端子板６１にハンダ付けにより固定されている。なお、他方の刃部４ｂについても一方の刃部４ａと同様に構成し、蓋板部３の裏面にネジ止めされた端子板４２と、電極部６ｂと一体の接続端子板６１とを導線でつないで導通させてもよい。
【００２１】
引掛シーリングボディ７に節電アダプター１を連結するには、節電アダプター１の各刃部４ａ，４ｂを引掛シーリングボディ７の各挿入溝７１ａ、７１ｂの出入部７２へ挿入し、引掛シーリングボディ７の円筒状ケース７０の下面に節電アダプター１のケース１０の上面を押し当てた状態で節電アダプター１を所定の角度だけ回す。これにより各刃部４ａ，４ｂは挿入溝７１ａ，７１ｂに沿って摺動し、鉤状部４１が各電極板７４ａ，７４ｂと係合して、各刃部４ａ，４ｂが各電極板７４ａ，７４ｂと電気的および機械的に接続された状態となる。
【００２２】
ケース１０の下面の対角位置には、図３に示すように、円弧状をなす一対の溝部５ａ，５ｂが開設されている。各溝部５ａ、５ｂは、大きな溝幅の出入部５２と小さな溝幅のガイド部５３とが連続し、各ガイド部５３の端部の溝内に、図５に示すように、電極部５４ａ，５４ｂがそれぞれ配設されている。
【００２３】
前記引掛シーリングキャップの各電極刃８１ａ，８１ｂは、節電アダプター１の各溝部５ａ，５ｂのガイド部５３に沿って移動することが可能な厚みに設定されており、各電極刃８１ａ，８１ｂの先端部の鉤状部８２は、各溝部５ａ，５ｂの出入部５２に対しては挿脱が可能であるが、ガイド部５３に対しては挿脱が不能になっている。
【００２４】
節電アダプター１に引掛シーリングキャップ８を連結するときは、引掛シーリングキャップ８の各電極刃８１ａ，８１ｂを節電アダプター１の各溝部５ａ、５ｂの出入部５２へ挿入し、節電アダプター１のケース１０の下面に引掛シーリングキャップ８の箱状ケース８０の上面を押し当てた状態で引掛シーリングキャップ８を所定の角度だけ回す。これにより各電極刃８１ａ，８１ｂが溝部５ａ，５ｂに沿って摺動し、鉤状部８２が各電極部５４ａ，５４ｂと係合して、各電極刃８１ａ，８１ｂが各電極部５４ａ，５４ｂと電気的および機械的に接続された状態となる。
【００２５】
節電アダプター１のケース１０の内部には、図６および図７に示すように、降圧トランス１１が収納配備されている。ケース１０の本体部２の内部には一対の支柱１２，１２が平行に縦設され、各支柱１２の凹溝部１２ａに降圧トランス１１の鉄心部１１ａの両端部が嵌め込まれて支持されている。
【００２６】
この実施例では、降圧トランス１１として単巻の降圧トランスが用いてあり、図８に示す入力端子ｐは一方の刃部４ａに、出力端子ｑは一方の電極部５４ａに、それぞれ接続され、入出力共通端子ｓは、互いに導通した他方の刃部４ｂまたは電極部５４ｂに接続されている。
なお、図中、１１ｂは降圧トランス１１の鉄心部１１ａに巻かれた比較的細い共通巻線、１１ｃは同じ鉄心部１１ａに巻かれた比較的太い直列巻線であり、１００ボルトの入力電圧Ｖ１に対して、例えば、７０〜９０ボルトの出力電圧Ｖ２となるように巻き線比が設定してある。
【００２７】
なお、降圧トランス１１は、図示例のように、単巻の降圧トランスを用いるのが望ましいが、これに限らず、図９に示すような複巻の降圧トランス１１を用いることもできる。複巻の降圧トランスを用いる場合には、各刃部４ａ，４ｂの長さはともに短く設定し、各刃部４ａ，４ｂの基端部に一体形成された端子板４２は蓋板部３の裏面にそれぞれネジ止めされる。また、降圧トランス１１の各入力端子ｐ１，ｐ２は各刃部４ａ，４ｂに、出力端子ｑ１，ｑ２は各電極部５４ａ，５４ｂに、それぞれ接続される。
【００２８】
図１０は、この発明の他の実施例を示すもので、入力端子ｐ，ｓ間に印加される１００ボルトの入力電圧Ｖ１に対して、第１の出力端子ｑ，ｓ間には７０〜９０ボルトの第１の出力電圧Ｖ２が、第２の出力端子ｒ，ｓ間には１００ボルトの第２の出力電圧Ｖ３が、それぞれ出力されるように構成されている。この実施例では、図３において一点鎖線で示すように、前記の各溝部５ａ，５ｂと９０度をなす角度位置にさらに溝部５ｃ，５ｄを設けるとともに、各溝部５ｃ、５ｄ内の端部位置に電極部（図示せず）をそれぞれ設けており、一方の溝部５ａ，５ｂに引掛シーリングキャップ８の各電極刃８１ａ，８１ｂが挿入されて接続されたときは、降圧された電圧で照明器具９が点灯駆動され、他方の溝部５ｃ、５ｄに引掛シーリングキャップ８の各電極刃８１ａ，８１ｂが挿入されて接続されたときは、１００ボルトの電圧で照明器具９が点灯駆動される。
【００２９】
照明器具９を天井面に設置するには、まず、引掛シーリングボディ７に節電アダプター１を連結し、次に、節電アダプター１に引掛シリンダキャップ８を連結する。このように節電アダプター１を中間に介在させて引掛シーリングボディ７と引掛シーリングキャップ８とを連結することで、照明器具９は天井面に吊り下げられた状態で設置される。
【００３０】
上記の連結状態において、節電アダプター１の刃部４ａ，４ｂには引掛シーリングボディ７の電極板７４ａ，７４ｂを介して１００ボルトの電圧Ｖ１が供給され、この電圧は降圧トランス１１の入力端子ｐ，ｓ間に与えられる。降圧トランス１１の出力端子ｑ，ｓ間には巻き線比に応じて降圧された電圧Ｖ２が出力される。この出力電圧Ｖ２は、節電アダプター１の電極部５４ａ，５４ｂを介して引掛シーリングキャップ８の電極刃８１ａ，８１ｂに供給され、この降圧された電圧Ｖ２により照明器具９が点灯駆動され、照明器具９の電力消費が抑えられる。
【符号の説明】
【００３１】
１    節電アダプター
４ａ，４ｂ  刃部
５ａ，５ｂ  溝部
７    引掛シーリングボディ
８    引掛シーリングキャップ
９    照明器具
１０  ケース
１１  トランス
１５  電源コード
５４ａ，５４ｂ  電極部
７１ａ，７１ｂ  挿入溝
７４ａ，７４ｂ  電極板
８１ａ，８１ｂ  電極刃
【図１】
2012256490.tif 000003
【図２】
2012256490.tif 000004
【図３】
2012256490.tif 000005
【図４】
2012256490.tif 000006
【図５】
2012256490.tif 000007
【図６】
2012256490.tif 000008
【図７】
2012256490.tif 000009
【図８】
2012256490.tif 000010
【図９】
2012256490.tif 000011
【図１０】
2012256490.tif 000012